(57)【要約】      （修正有）【課題】角カバーハンモック式の緩衝構造を提供する。【解決手段】第１エアクッション面１０、第２エアクッション面２０、及び底部のエアクッション面３０で構成される。第１と第２エアクッション面の一側端の内面は一つ又は一つ以上の固定部で相互に貼着され、第１と第２エアクッション面の一側端の内面の底部のエアクッション面に近傍する位置は貼着されずに、角カバー端部にある伸縮口６０を形成する。第１エアクッション面の一側端エアクッション１１、第２エアクッション面の一側端エアクッション２１、及び底部のエアクッション面のエアクッション３１は伸縮口の周囲を囲繞して、端部位置にある緩衝面６１を構成する。第１と第２エアクッション面との間に底部のエアクッション面に接触しないハンモック式の被覆膜７０を跨設する。【選択図】図２
2014172662.tif 000002
【特許請求の範囲】
【請求項１】
角カバーは第１エアクッション面、第２エアクッション面、及び前記第１エアクッション面の底部と第２エアクッション面の底部との間を接続する底部のエアクッション面からなり、前記第１エアクッション面、第２エアクッション面、及び底部のエアクッション面には複数のエアクッションが各々設けられ，前記第１エアクッション面、第２エアクッション面、及び底部のエアクッション面との間に収納空間を形成する角カバーハンモック式の緩衝構造であって、
前記第１エアクッション面と第２エアクッション面の一側端の内面は一つ又は一つ以上の固定部で相互に貼着され、前記第１エアクッション面と第２エアクッション面の一側端の内面の前記底部のエアクッション面に近傍する位置は貼着せず、前記貼着されていない箇所は前記第１エアクッション面の一側端エアクッション、第２エアクッション面の一側端エアクッション、及び底部のエアクッション面の一側端エアクッションとの間に前記角カバーの端部にある伸縮口を形成し、前記第１エアクッション面の一側端エアクッション、第２エアクッション面の一側端エアクッション、及び底部のエアクッション面の一側端エアクッションは前記伸縮口の周囲を囲繞して、端部位置にある緩衝面を構成すると共に、前記第１エアクッション面と第２エアクッション面との間に前記収納空間内にあって前記底部のエアクッション面に接触しないハンモック式の被覆膜を跨設することを特徴とする角カバーハンモック式の緩衝構造。
【請求項２】
前記第１エアクッション面と第２エアクッション面の他側端との間には前記収納空間と被覆膜内部を連通する側端開口部があり、前記第１エアクッション面と第２エアクッション面の頂部との間には前記収納空間、被覆膜内部、及び側端開口部を連通する上端開口部があり、前記側端開口部と上端開口部は包装される物品を前記収納空間と被覆膜内に載置し、包装される物品を前記第１エアクッション面、第２エアクッション面、底部のエアクッション面、及び緩衝面の間に包み、包装される物品は前記被覆膜により包まれ前記収納空間内に懸架されて前記底部のエアクッション面に接触しないことを特徴とする請求項１に記載の角カバーハンモック式の緩衝構造。
【請求項３】
前記固定部は前記底部のエアクッション面に延在せず、前記固定部と底部のエアクッション面の間にヒートシールされていない既定距離を開け、前記角カバーの端部は前記既定距離で前記三角形の伸縮口を形成することを特徴とする請求項１に記載の角カバーハンモック式の緩衝構造。
【請求項４】
前記第１エアクッション面上のエアクッションは前記第１エアクッション面の頂部と底部に延在し、第２エアクッション面上のエアクッションは前記第２エアクッション面の頂部と底部に延在し、前記底部のエアクッション面上のエアクッションは前記底部のエアクッション面の両側に延在することを特徴とする請求項１に記載の角カバーハンモック式の緩衝構造。
【請求項５】
前記第１エアクッション面の複数のエアクッション、第２エアクッション面の複数のエアクッションは、底部のエアクッション面の単一のエアクッションの両側と相互に連通することを特徴とする請求項４に記載の角カバーハンモック式の緩衝構造。
【請求項６】
前記固定部はヒートシール点又はヒートシール線であることを特徴とする請求項１に記載の角カバーハンモック式の緩衝構造。
【請求項７】
前記固定部はヒートシール成型により前記第１エアクッション面のエアクッションと第２エアクッション面のエアクッション上に設けられることを特徴とする請求項１に記載の角カバーハンモック式の緩衝構造。
【請求項８】
前記第１エアクッション面、第２エアクッション面の一側端の辺縁と固定部との間に少なくとも１つの前記固定部が設けられていないエアクッションを有し、前記固定部が設けられていないエアクッションの体積は前記固定部が設けられているエアクッションの体積より大きく、前記角カバーの端部は前記固定部が設けられていないエアクッションと前記固定部が設けられているエアクッションにより弾性が強化されることを特徴とする請求項７に記載の角カバーハンモック式の緩衝構造。
【請求項９】
前記被覆膜の両端はそれぞれ前記第１エアクッション面と第２エアクッション面の頂部に設けられ、被覆膜は前記底部のエアクッション面に近傍する位置に延在してハンモック型態を呈することを特徴とする請求項１に記載の角カバーハンモック式の緩衝構造。
【請求項１０】
前記第１エアクッション面の頂部又は／及び第２エアクッション面の頂部に、前記角カバーの外周囲を繞設して被覆する少なくとも１つの延伸エアクッション面を設け、前記延伸エアクッション面上に複数のエアクッションを設けることを特徴とする請求項１に記載の角カバーハンモック式の緩衝構造。
【発明の詳細な説明】
【技術分野】
【０００１】
本発明は、角カバーハンモック式の緩衝構造に関し、より詳しくは、エアクッション角カバーの折り返し端部に予め設けられた開口型の緩衝構造と、エアクッション角カバーの折り返し端部にハンモックにより包装される物品を懸架する被覆膜に関する。
【背景技術】
【０００２】
従来、表面に緩衝エアクッションがある包装用エアバッグは、液晶テレビ等の壊れ物の包装に広範に使用されており、包装される物品が衝突されたり、外力による衝撃を受けたりすると、エアクッションが緩衝作用を供与して、物品が破損するのを防ぐことができる。
従来のエアバッグは袋状となっており、主に接着フィルム製の袋にヒートシールで複数のエアクッションを取付け、袋には前記エアクッションに連通するエア注入口があり、エアがエア注入口からエアクッションに注入されると、前記エアクッションが膨張して緩衝作用を生じることにより、包装される物品をエアバッグ内に載置して、前記膨漲したエアクッションが包装される物品の外周囲を包んで、緩衝被覆効果を供与する。
【０００３】
また、既存の液晶テレビ等の包装される物品のサイズ規格は増大の一途を辿って、運搬や取付け面で不便を来たしているため、液晶テレビ等の包装される物品は運送過程で、頻繁に運搬されることで周囲端部がぶつかり易く、前記周囲端部が衝突で損壊したり磨耗する。
このため、従来のエアバッグにはカバー状のものもあり、液晶テレビ等の包装される物品の周囲の端部を被覆することで、前記膨漲のエアクッションが液晶テレビ等の包装される物品の周囲の端部を包んで、前記周囲端部に緩衝被覆効果を生じさせる。
【発明の概要】
【発明が解決しようとする課題】
【０００４】
しかしながら、前述した従来のエアクッションは前記周囲端部が湾曲型態を呈していることから、エアクッションが湾曲部で破裂し易いという問題を有し、前述の袋状又はカバー状のエアバッグは一般にポリエチレン（ｐｏｌｙｅｔｈｙｌｅｎｅ、  ＰＥ）素材で製造されており、エアクッションが、包装される物品の鋭利な端部で突き破られ易いため、一旦小さな穴が空くと、エアバッグ内のエアが漏れ出して緩衝能力を喪失するといった問題があった。
【０００５】
また、包装される物品がエアバッグ内部に置かれると、包装される物品の重量の関係で、包装される物品の底部とエアバッグの底部の内壁との間に僅かな間隙が残されていたり、包装される物品の底部が直接エアバッグ底部の内壁に接触したりする。
このため、エアバッグの袋底が地面に衝突すると、包装される物品の底部とエアバッグの底部の内壁に充分な緩衝空間がないことから、エアバッグの袋底が地面に衝突する衝撃力が直接包装される物品の底部に伝達されて包装される物品が破損し易いという欠点がある。
【０００６】
そこで、本発明者は上記の欠点が改善可能と考え、鋭意検討を重ねた結果、合理的かつ効果的に課題を改善する本発明の提案に到った。
【０００７】
本発明は、このような従来の問題に鑑みてなされたものである。上記課題解決のため、本発明は、角カバーハンモック式の緩衝構造を提供することを主目的とする。
【課題を解決するための手段】
【０００８】
上述した課題を解決し、目的を達成するために、本発明に係る角カバーハンモック式の緩衝構造は、角カバーは第１エアクッション面、第２エアクッション面、及び前記第１エアクッション面の底部と第２エアクッション面の底部との間を接続する底部のエアクッション面からなり、前記第１エアクッション面、第２エアクッション面、及び底部のエアクッション面には複数のエアクッションが各々設けられ，前記第１エアクッション面、第２エアクッション面、及び底部のエアクッション面との間に収納空間を形成する角カバーハンモック式の緩衝構造であって、前記第１エアクッション面と第２エアクッション面の一側端の内面は一つ又は一つ以上の固定部で相互に貼着され、前記第１エアクッション面と第２エアクッション面の一側端の内面の前記底部のエアクッション面に近傍する位置は貼着せず、貼着されていない箇所は前記第１エアクッション面の一側端エアクッション、第２エアクッション面の一側端エアクッション、及び底部のエアクッション面の一側端エアクッションとの間に前記角カバーの端部にある伸縮口を形成し、前記第１エアクッション面の一側端エアクッション、第２エアクッション面の一側端エアクッション、及び底部のエアクッション面の一側端エアクッションは前記伸縮口の周囲を囲繞して、端部位置にある緩衝面を構成すると共に、前記第１エアクッション面と第２エアクッション面との間に前記収納空間内にあって前記底部のエアクッション面に接触しないハンモック式被覆膜を跨設することを特徴とする。
【０００９】
これによれば、前記角カバーの第１エアクッション面、第２エアクッション面、及び底部のエアクッション面が包装される物品の端部に嵌め込まれると、前記角カバーの伸縮口と緩衝面が包装される物品の端部に位置付けられ、緩衝面が包装される物品の端部を被覆して緩衝作用が生じる。
また前記包装される物品の端部が被覆膜に包まれて収納空間内に懸架され、包装される物品の端部が底部のエアクッション面に接触せずに緩衝距離を開けることで、前記エアクッションと緩衝距離等の二重の緩衝効果を供与する。
【００１０】
請求項２に記載の角カバーハンモック式の緩衝構造は請求項１において、前記第１エアクッション面と第２エアクッション面の他側端との間には前記収納空間と被覆膜内部を連通する側端開口部があり、前記第１エアクッション面と第２エアクッション面の頂部との間には前記収納空間、被覆膜内部、及び側端開口部を連通する上端開口部があり、前記側端開口部と上端開口部は包装される物品を前記収納空間と被覆膜内に載置し、包装される物品を前記第１エアクッション面、第２エアクッション面、底部のエアクッション面、及び緩衝面の間に包み、包装される物品は前記被覆膜により包まれ前記収納空間内に懸架されて前記底部のエアクッション面に接触しないことを特徴とする。
【００１１】
請求項３に記載の角カバーハンモック式の緩衝構造は請求項１において、前記固定部は前記底部のエアクッション面に延在せず、前記固定部と底部のエアクッション面の間にヒートシールされていない既定距離を開け、前記角カバーの端部は前記既定距離で前記三角形の伸縮口を形成することを特徴とする。
【００１２】
請求項４に記載の角カバーハンモック式の緩衝構造は請求項１において、前記第１エアクッション面上のエアクッションは前記第１エアクッション面の頂部と底部に延在し、第２エアクッション面上のエアクッションは前記第２エアクッション面の頂部と底部に延在し、前記底部のエアクッション面上のエアクッションは前記底部のエアクッション面の両側に延在することを特徴とする。
【００１３】
請求項５に記載の角カバーハンモック式の緩衝構造は請求項１において、上記の主な構造的特徴により、前記第１エアクッション面の複数のエアクッション、第２エアクッション面の複数のエアクッションは、底部のエアクッション面の単一のエアクッションの両側と相互に連通することを特徴とする。
【００１４】
請求項６に記載の角カバーハンモック式の緩衝構造は請求項１において、前記固定部はヒートシール点又はヒートシール線であることを特徴とする。
【００１５】
請求項７に記載の角カバーハンモック式の緩衝構造は請求項１において、前記固定部はヒートシール成型により前記第１エアクッション面のエアクッションと第２エアクッション面のエアクッション上に設けられることを特徴とする。
【００１６】
請求項８に記載の角カバーハンモック式の緩衝構造は請求項１において、前記第１エアクッション面、第２エアクッション面の一側端の辺縁と固定部との間に前記固定部を設けない少なくとも１つのエアクッションを有し、前記固定部を設けないエアクッションの体積は前記固定部を設けるエアクッションの体積より大きく、前記角カバーの端部は前記固定部を設けないエアクッションと前記固定部を設けるエアクッションにより弾性が強化されることを特徴とする。
【００１７】
請求項９に記載の角カバーハンモック式の緩衝構造は請求項１において、前記被覆膜の両端はそれぞれ前記第１エアクッション面と第２エアクッション面の頂部に設けられ、被覆膜は前記底部のエアクッション面に近傍する位置に延在してハンモック型態を呈することを特徴とする。
【００１８】
請求項１０に記載の角カバーハンモック式の緩衝構造は請求項１において、前記第１エアクッション面の頂部又は／及び第２エアクッション面の頂部に、前記角カバーの外周囲を繞設して被覆する少なくとも１つの延伸エアクッション面を設け、前記延伸エアクッション面上に複数のエアクッションを設けることを特徴とする。
【発明の効果】
【００１９】
本発明によれば、包装される物品端部への緩衝保護作用が向上する。
【図面の簡単な説明】
【００２０】
【図１】本発明の第１実施形態による角カバーハンモックの緩衝構造を示す前面図である。
【図２】図１の側面図である。
【図３】図１のＡ−Ａを示す断面図である。
【図４】図１のＢ−Ｂを示す断面図である。
【図５】図１の使用状況図である。
【図６】図５の一部の拡大図である。
【図７】図３の使用状況を示す断面図である。
【図８】図４の使用状況を示す断面図である。
【図９】図８の実施形態を示す断面図である。
【発明を実施するための形態】
【００２１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２２】
以下、本発明の第１実施例を図面に基づいて説明する。なお、本発明の第１実施形態の構成を図１から図８に示す。
【００２３】
本発明に係る角カバーハンモック式の緩衝構造１００は、第１エアクッション面１０、第２エアクッション面２０、及び前記第１エアクッション面１０の底部と第２エアクッション面２０の底部との間を接続する底部のエアクッション面３０からなる。
【００２４】
前記第１エアクッション面１０、第２エアクッション面２０、及び底部のエアクッション面３０上に複数のエアクッション１１、２１、３１を各々設け、前記第１エアクッション面１０、第２エアクッション面２０、底部のエアクッション面３０との間に収納空間４０を形成する。
前記第１エアクッション面１０と第２エアクッション面２０の一側端の内面１２、２２は、一つ又は一つ以上の固定部５０で相互に貼着され、前記第１エアクッション面１０と第２エアクッション面２０の一側端の内面１２、２２の底部のエアクッション面３０に近傍する位置は貼着されず、貼着されていない箇所は前記第１エアクッション面１０の一側端エアクッション１１ａ、第２エアクッション面２０の一側端エアクッション２１ａと底部のエアクッション面３０の一側端エアクッション３１ａとの間に、角カバー１００の端部１０１に位置する三角形の伸縮口６０を形成する。
【００２５】
前記第１エアクッション面１０の一側端エアクッション１１ａ、第２エアクッション面２０の一側端エアクッション２１ａ、及び底部のエアクッション面３０の一側端エアクッション３１ａは伸縮口６０の周囲を囲繞して、角カバー１００の端部１０１の位置にある三角形の緩衝面６１を構成する。なお、前記第１エアクッション面１０と第２エアクッション面２０との間に、収納空間４０内にあって底部のエアクッション面３０に接触していないハンモック式の被覆膜７０を跨設し、被覆膜７０は湾曲して被覆膜７０の内側にある被覆空間７１を形成する。
【００２６】
この好ましい実施例では、前記第１エアクッション面１０と第２エアクッション面２０の他側端との間には、収納空間４０と被覆膜７０内部の被覆空間７１とを連通する側端開口部４１があり、前記第１エアクッション面１０と第２エアクッション面２０の頂部との間には、前記収納空間４０、被覆膜７０内部の被覆空間７１、及び側端開口部４１とを連通する上端開口部４２がある。
【００２７】
前記側端開口部４１と上端開口部４２は包装される物品９０を前記収納空間４０と被覆膜７０の被覆空間７１内部に載置し、包装される物品９０を前記第１エアクッション面１０、第２エアクッション面２０、底部のエアクッション面３０、及び緩衝面６１の間に包み、包装される物品９０は被覆膜７０により包まれ前記収納空間４０内に懸架されて底部のエアクッション面３０に接触しない。前記包装される物品９０は本実施例では液晶テレビ等の壊れ物とする。
【００２８】
また、この好ましい実施例では、前記固定部５０は底部のエアクッション面３０に延在せずに、前記固定部５０の底端と底部のエアクッション面３０の間にヒートシールされてない既定距離ｈ１を開け、前記角カバー１００の端部１０１は前記既定距離ｈ１により前記三角形の伸縮口６０を形成する。
【００２９】
この好ましい実施例では、前記第１エアクッション面１０上のエアクッション１１、１１ａは、第１エアクッション面１０の頂部と底部に延在し、第２エアクッション面２０上のエアクッション２１、２１ａは第２エアクッション面２０の頂部と底部に延在し、前記底部のエアクッション面３０上のエアクッション３１、３１ａは底部のエアクッション面３０の両側に延在することができる。
【００３０】
また、前記第１エアクッション面１０の一側端エアクッション１１ａ、第２エアクッション面２０の一側端エアクッション２１ａは、底部のエアクッション面３０の一側端エアクッション３１ａの両側と相互に連通し、前記第１エアクッション面１０の複数のエアクッション１１、第２エアクッション面２０の複数のエアクッション２１は、底部のエアクッション面３０の単一のエアクッション３１の両側と相互に連通し、底部のエアクッション面３０の一側端エアクッション３１ａとエアクッション３１のサイズが異なることで、前記エアクッション３１、３１ａ間の伸縮や緩衝能力が高まる。
【００３１】
この好ましい実施例では、前記固定部５０はヒートシール点又はヒートシール線とされる。さらに、前記固定部５０はヒートシール成型により前記第１エアクッション面１０のエアクッション１１ａと第２エアクッション面２０のエアクッション２１ａ上に設けられ、前記エアクッション１１ａ、２１ａの膨張後の体積を縮小する。このようにして、前記緩衝面６１、一側端エアクッション１１ａ、２１ａ、３１ａとエアクッション１１、２１、３１との間は外径が異なる重層型態を呈することで、伸縮や緩衝能力が高まる。
【００３２】
この好ましい実施例では、前記第１エアクッション面１０、第２エアクッション面２０の一側端の辺縁と固定部５０との間に、前記固定部５０を設けない少なくとも１つのエアクッション１１ｂ、２１ｂを設けるが、前記固定部５０を設けないエアクッション１１ｂ、２１ｂの体積は前記固定部５０を設けるエアクッション１１ａ、２１ａの体積より大きく、角カバー１００の端部１０１を、前記固定部５０を設けないエアクッション１１ｂ、２１ｂと前記固定部５０を設けるエアクッション１１ａ、２１ａにより弾性を強化して、伸縮や緩衝能力を高める。
【００３３】
この好ましい実施例では、前記被覆膜７０の両端はそれぞれ前記第１エアクッション面１０の頂部内面１２と第２エアクッション面２０の頂部内面２２に設けられ、被覆膜７０は底部のエアクッション面３０に近傍する位置に延在してハンモック型態を呈する。
【００３４】
上述した部材によれば、本発明を実施することができる。前記角カバー１００、１００ａ、１００ｂ、１００ｃの第１エアクッション面１０、第２エアクッション面２０、底部のエアクッション面３０が包装される物品９０の各々の端部９１に嵌め込まれると、前記角カバー１００、１００ａ、１００ｂ、１００ｃの伸縮口６０と緩衝面６１は包装される物品９０の周囲端部９１に位置付けされ、緩衝面６１は包装される物品９０の端部９１を被覆して緩衝作用を生ずる。
【００３５】
ちなみに、前記包装される物品９０の端部９１は被覆膜７０により被覆空間７１内に包まれ、包装される物品９０の端部９１を収納空間４０内に懸架することで、包装される物品９０の端部９１は底部のエアクッション面３０に接触せずに緩衝距離ｈ２を開けて、前記エアクッション３１、３１ａと緩衝距離ｈ２等の二重の緩衝効果を提供する。
【００３６】
前記角カバー１００、１００ａ、１００ｂ、１００ｃの端部１０１に位置する伸縮口６０の設計により、前記第１エアクッション面１０、第２エアクッション面２０を、底部のエアクッション面３０の一側端エアクッション１１ａ、２１ａ、３１ａの底端と相互に連結する必要は無い。このため、エアクッション１１ａ、２１ａ、３１ａの端部１０１が湾曲して破裂し易くなるという問題が回避され、端折りに適した効果を有する。また、前記角カバー１００、１００ａ、１００ｂ、１００ｃの端部１０１に位置する緩衝面６１の設計により、角カバー１００、１００ａ、１００ｂ、１００ｃが包装される物品９０の端部９１を被覆すると、前記伸縮口６０と緩衝面６１を包装される物品９０の端部９１の外側に位置付けすることで、緩衝面６１が角カバー１００、１００ａ、１００ｂ、１００ｃの端部１０１に緩衝作用を供与して、包装される物品９０の端部９１への衝撃防止の緩衝能力が高められる。
【００３７】
このほかに、前記収納空間４０内にあって底部のエアクッション面３０に接触しないハンモック式の被覆膜７０の設計により、包装される物品９０の端部９１が被覆膜７０の内壁に包まれ、被覆膜７０は収納空間４０内に懸架され、包装される物品９０の端部９１が底部のエアクッション面３０に直接接触せず、衝突の外力が直接底部のエアクッション面３０から包装される物品９０の端部９１に伝達されて損壊したり傷ついたりするのを防止する。こうして、上記の先行技術における、従来のエアクッションが湾曲した箇所で破裂し易いという問題や、エアクッションが包装される物品の鋭利な端部によって容易に突き破られて緩衝能力が喪失してしまうという問題、また、衝突した地面の衝撃力が直接包装される物品の底部に伝達され易く、包装される物品が破損してしまうという問題が克服された。
【００３８】
図８及び図９によれば、前記第１エアクッション面１０の頂部又は／及び第２エアクッション面２０の一頂部に、角カバー１００の外周囲を繞設して被覆することができる少なくとも１つの延伸エアクッション面８０を設け、前記延伸エアクッション面８０に複数のエアクッション８１を設けるが、前記延伸エアクッション面８０、８０ａは一段又は複数段型態とされる。
【００３９】
その結果、前記延伸エアクッション面８０、８０ａは前記角カバー１００の第１エアクッション面１０、第２エアクッション面２０、及び底部のエアクッション面３０の外周囲を繞設して被覆することで、衝撃防止の緩衝能力が高められる。
【００４０】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。
従って、本発明の精神を逸脱せずに行う各種の同様の効果をもつ改良又は変更は、後述の請求項に含まれるものとする。
【符号の説明】
【００４１】
１０      第１エアクッション面
１００    角カバー
１００ａ  角カバー
１００ｂ  角カバー
１００ｃ  角カバー
１０１    端部
１１      エアクッション
２１      エアクッション
３１      エアクッション
１１ａ    エアクッション
２１ａ    エアクッション
３１ａ    エアクッション
１１ｂ    エアクッション
２１ｂ    エアクッション
８１      エアクッション
１２      内面
２２      内面
２０      第２エアクッション面
３０      底部のエアクッション面
４０      収納空間
４１      側端開口部
４２      上端開口部
５０      固定部
６０      伸縮口
６１      緩衝面
７０      被覆膜
７１      被覆空間
８０      延伸エアクッション面
８０ａ    延伸エアクッション面
９０      包装される物品
９１      端部
【図１】
2014172662.tif 000003
【図２】
2014172662.tif 000004
【図３】
2014172662.tif 000005
【図４】
2014172662.tif 000006
【図５】
2014172662.tif 000007
【図６】
2014172662.tif 000008
【図７】
2014172662.tif 000009
【図８】
2014172662.tif 000010
【図９】
2014172662.tif 000011